【手続補正書】
【提出日】平成29年9月14日(2017.9.14)
【手続補正１】
【補正対象書類名】特許請求の範囲
【補正対象項目名】全文
【補正方法】変更
【補正の内容】
【特許請求の範囲】
【請求項１】
対象の中の放射性トレーサ分布を撮像するためのマルチモーダルイメージング装置であって、 少なくとも２つの検出器アセンブリであって、それぞれの前記検出器アセンブリは、サブアセンブリのアレイを含み、各サブアセンブリは：    前記放射性トレーサによって発生した入射ガンマ量子を捕えるとともに捕えた前記ガンマ量子に応じてシンチレーション光子を放射するように構成されるシンチレータ素子を含むシンチレータと；    放射された前記シンチレーション光子を捕えるとともに前記シンチレーション光子の空間分布を決定するように構成される感光素子を含む光検出器と；を含む、 少なくとも２つの検出器アセンブリ、  前記シンチレーション光子の空間分布に基づいて、前記シンチレータにおける入射ガンマ量子の衝突位置及び／又は前記対象の中の前記ガンマ量子の放射ポイントを示すパラメータを決定するように構成される読出し回路、並びに  低エネルギガンマ量子を検出するための第１の動作モードと高エネルギガンマ量子を検出するための第２の動作モードとの間で前記イメージング装置を切り替えるためにそれぞれの前記サブアセンブリを個々に傾けるように構成される位置決め機構であって、前記高エネルギガンマ量子は前記低エネルギガンマ量子より高いエネルギを有する、位置決め機構、 を有し、 それぞれの前記サブアセンブリの前記シンチレータは、前記第１の動作モード及び前記第２の動作モードにおいて同じ関心領域からの前記入射ガンマ量子を捕えるように配置される、  マルチモーダルイメージング装置。
【請求項２】
前記低エネルギガンマ量子及び前記高エネルギガンマ量子両方のエネルギは、７０ｋｅＶから６００ｋｅＶの間にある、  請求項１に記載のマルチモーダルイメージング装置。
【請求項３】
前記第１の動作モード及び前記第２の動作モードで前記サブアセンブリを支持するための共通のガントリをさらに有する、  請求項１に記載のマルチモーダルイメージング装置。
【請求項４】
前記第１の動作モードにおける入射角に基づいて前記入射ガンマ量子をフィルタリングするように構成されるコリメータをさらに有する、  請求項１に記載のマルチモーダルイメージング装置。
【請求項５】
前記光検出器は、光子計数モードでの動作用に構成され、前記光検出器のダイナミックレンジは、高エネルギシンチレータ素子及び低エネルギシンチレータ素子両方によって放射される前記シンチレーション光子を捕えるように構成される、  請求項１に記載のマルチモーダルイメージング装置。
【請求項６】
１つの感光素子が、それぞれの前記シンチレータ素子に結合されるとともに前記シンチレータ素子によって放射される前記シンチレーション光子を捕えるように配置され；  前記位置決め機構は、ガンマ光子が前記第１の動作モードにおける短い寸法に沿って及び前記第２の動作モードにおける長い寸法に沿って移動するように、前記シンチレータ素子及びそこへ結合された前記感光素子を傾けるように、構成される、  請求項１に記載のマルチモーダルイメージング装置。
【請求項７】
それぞれの前記検出器アセンブリは、前記サブアセンブリのＭ×Ｎのアレイを含み、Ｍ及びＮは、複数の整数である、 請求項１に記載のマルチモーダルイメージング装置。
【請求項８】
それぞれの前記サブアセンブリは、前記シンチレータ素子の積み重ねを含み；  前記位置決め機構は、前記入射ガンマ量子が前記積み重ねの側面に衝突する前記第１の動作モードに対応する第１の位置と前記入射ガンマ量子が前記積み重ねの上面に衝突する前記第２の動作モードに対応する第２の位置との間で前記イメージング装置を切り替えるために、前記シンチレータ素子の積み重ねを傾けるように構成される、  請求項１に記載のマルチモーダルイメージング装置。
【請求項９】
それぞれの前記サブアセンブリは、それぞれの検出器が前記第１の動作モード及び前記第２の動作モードの両方で同じ解像度及び視野を提供するようＭ×Ｎの前記サブアセンブリを有するように、単一の光検出器に光学的に結合される単一のシンチレーションを有する、  請求項７に記載のマルチモーダルイメージング装置。
【請求項１０】
前記読出し回路は、前記第１の動作モードにおける低エネルギガンマ量子イベントを読み出すように及び前記第２の動作モードにおける高エネルギガンマ量子イベントを読み出すように構成される、  請求項１に記載のマルチモーダルイメージング装置。
【請求項１１】
前記シンチレータは、前記シンチレータ素子のアレイであって、前記低エネルギガンマ量子を捕えるように構成される低エネルギシンチレータ素子を用いて前記第１の動作モードにおいて関心領域に面する前記アレイの２次元領域に対応する第１の領域及び前記高エネルギガンマ量子を捕えるように構成される高エネルギシンチレータ素子を用いて前記第２の動作モードにおいて前記関心領域に面する前記アレイの２次元領域に対応する第２の領域を含む、前記シンチレータ素子のアレイを有する、 請求項１に記載のマルチモーダルイメージング装置。
【請求項１２】
対象の中の放射性トレーサ分布を撮像するためのマルチモーダルイメージング装置であって、 複数の検出器アセンブリであって、それぞれの前記検出器アセンブリは、サブアセンブリの二次元アレイを含み、各サブアセンブリは： 前記放射性トレーサによって発生した入射ガンマ量子を捕えるとともに捕えた前記ガンマ量子に応じてシンチレーション光子を放射するように構成される少なくとも１つのシンチレータ素子と； 放射された前記シンチレーション光子を捕えるように構成される少なくとも１つの感光素子であって、それぞれの前記感光素子は対応するシンチレータ素子の第１の面に光学的に結合される、少なくとも１つの感光素子と；を含む、 複数の検出器アセンブリ、及び 機械的位置決め機構であって、入射ガンマ光子が前記シンチレータ素子の第２の面で受けられる第１の向きであって、前記第２の面は前記第１の面の反対側に配置される、第１の向きと、入射ガンマ光子が前記シンチレータ素子のうちの１つの側面で受けられるように前記第１の向きに直角である第２の向きとの間で、それぞれの前記サブアセンブリを、対応する前記検出器アセンブリに対して回転させるように構成される、機械的位置決め機構、 を有する、 マルチモーダルイメージング装置。
【請求項１３】
それぞれの前記サブアセンブリは、それぞれの前記検出器アセンブリが前記向きの両方において同じ数の前記シンチレータ素子／前記感光素子のペアを有するように、単一のシンチレータ素子及び単一の検出器素子を含む、 請求項１２に記載のマルチモーダルイメージング装置。
【請求項１４】
前記シンチレーション光子の空間分布に基づいて、前記シンチレータにおける入射ガンマ量子の捕捉位置及び／又は前記対象の中の前記ガンマ量子の放射ポイントを示すパラメータを決定するように構成される読出し回路、をさらに含む、 請求項１３に記載のマルチモーダルイメージング装置。
【請求項１５】
対象の中の放射性トレーサ分布を撮像するためのマルチモーダルイメージング装置であって、 複数の放射線検出器モジュールであって、それぞれの前記検出器モジュールは： 前記放射性トレーサによって発生した低エネルギ入射ガンマ放射線量子を捕えるとともに捕えた前記低エネルギガンマ放射線量子に応じてシンチレーション光子を放射するように構成される複数の第１のシンチレータ素子と； 前記放射性トレーサによって発生した高エネルギ入射ガンマ放射線量子を捕えるとともに捕えた前記高エネルギガンマ放射線量子に応じてシンチレーション光子を放射するように構成される複数の第２のシンチレータ素子と； 前記第１のシンチレータ素子及び前記第２のシンチレータ素子に光学的に結合されるとともに、放射された前記シンチレーション光子を捕えるように構成される、複数の感光素子と； 前記第１のシンチレータ素子の面に配置されるとともに入射角に基づいて前記入射ガンマ量子をフィルタリングするように構成されるコリメータ要素を含むコリメータシステムであって、前記コリメータ要素は、前記第１のシンチレータ素子と前記対象との間に配置され、前記コリメータシステムは、前記第２のシンチレータ素子と前記対象との間に前記コリメータ要素を含まない、コリメータシステムと； を含む、 複数の放射線検出器モジュール、 を有する、 マルチモーダルイメージング装置。
【請求項１６】
前記シンチレーション光子の空間分布に基づいて、前記シンチレータ素子における入射ガンマ量子の捕捉位置及び／又は前記対象の中の前記ガンマ量子の放射ポイントを示すパラメータを決定するように構成される読出し回路、をさらに含む、 請求項１５に記載のマルチモーダルイメージング装置。
【請求項１７】
それぞれの前記サブアセンブリは、前記第２の向きにおいて、前記入射ガンマ光子が、側面から側面にそれぞれの前記サブアセンブリの隣接する前記シンチレータ素子を連続的に通過するように、光検出器のリニアアレイに光学的に結合される前記シンチレータ素子のリニアアレイを含む、 請求項１２に記載のマルチモーダルイメージング装置。
【請求項１８】
前記二次元アレイは、前記サブアセンブリのＭ×Ｎのアレイを含み、Ｍ及びＮは、複数の整数である、 請求項１２に記載のマルチモーダルイメージング装置。